(57)【要約】【課題】カラー画像データを処理する方法を提供すること。【解決手段】方法は、第１の色空間で表された色情報を有する画像の第１および第２の領域に対応する画像データを受け取るステップと、画像データの色情報を第１の色空間から第２の色空間に変換するステップであって、対応付けは、色情報の知覚される色を実質的に維持するとともに、第１および第２の領域のメタ明度を選択するように構成される、ステップと、第２の色空間における色情報を有する該画像データを出力するステップと、を含む。【選択図】図５
2019508993.tif 000002
【特許請求の範囲】
【請求項１】
カラー画像データを処理する、コンピュータにより実施される方法であって、
第１の色空間で表された色情報を有する画像の第１および第２の領域に対応する画像データを受け取るステップと、
該画像データの該色情報を第１の色空間から第２の色空間に変換するステップであって、対応付けは、該色情報の知覚される色を実質的に維持するとともに、該第１および第２の領域のメタ明度を選択するように構成される、ステップと、
該第２の色空間における色情報を有する該画像データを出力するステップと、
を含む方法。
【請求項２】
前記第２の色空間は少なくとも４色の原色を含む、請求項１記載の方法。
【請求項３】
前記第２の色空間は、紫の原色およびシアンの原色を示す情報を含む、請求項１または２記載の方法。
【請求項４】
前記第２の色空間は青の原色を含まない、請求項２または３記載の方法。
【請求項５】
前記第１および第２の領域の一方または両方が、前記画像の点位置または画素である、請求項１から４のいずれか一項記載の方法。
【請求項６】
前記第１の領域の前記選択されるメタ明度は、前記第２の領域の前記選択されるメタ明度とは異なる、請求項１から５のいずれか一項記載の方法。
【請求項７】
前記第２の色空間は、範囲４１０〜４７０ｎｍの波長を有する第１の原色を含む、請求項１から６のいずれか一項記載の方法。
【請求項８】
前記第１の原色は４４０ｎｍ前後の波長を有する、請求項７記載の方法。
【請求項９】
前記第２の色空間は、範囲４７０〜５４０ｎｍの波長を有する第２の原色を含む、請求項１から８のいずれか一項記載の方法。
【請求項１０】
前記第２の原色は５０５ｎｍ前後の波長を有する、請求項９記載の方法。
【請求項１１】
前記第２の色空間は、範囲５８０〜７４０ｎｍの波長を有する第３の原色を含む、請求項１から１０のいずれか一項記載の方法。
【請求項１２】
前記第３の原色は６００ｎｍ前後の波長を有する、請求項１１記載の方法。
【請求項１３】
前記第２の色空間は、範囲５２０〜６１０ｎｍの波長を有する第４の原色を含む、請求項１から１２のいずれか一項記載の方法。
【請求項１４】
前記第４の原色は５９０ｎｍ前後の波長を有する、請求項１３記載の方法。
【請求項１５】
前記第２の色空間は、紫、シアン、赤、および黄色の原色を示す情報を含む、請求項１から１４のいずれか一項記載の方法。
【請求項１６】
前記第１および第２の領域についてのメタ明度レベルを選択するステップは、前記第２の色空間における前記画像データの複数のメタ明度レベルのうち１つを選択することを含む、請求項１から１５のいずれか一項記載の方法。
【請求項１７】
前記複数のメタ明度レベルは、高いメタ明度を表す第１のメタ明度レベルと、低いメタ明度を表す第２のメタ明度レベルとを含む、請求項１６記載の方法。
【請求項１８】
前記第１および第２のメタ明度レベルは、いくつかの色について少なくとも２０％だけ出力が異なり、任意で、前記第１および第２のメタ明度レベルは、いくつかの色について少なくとも５０％だけ出力が異なる、請求項１７記載の方法。
【請求項１９】
前記変換ステップは、前記第２の色空間における出力スペクトルと、前記第２の色空間における各原色のスペクトル・パワー分布および前記第１の色空間における各原色についてのスペクトル効率関数と、前記メタ明度とに基づく、請求項１から１８のいずれか一項記載の方法。
【請求項２０】
前記メタ明度についての前記スペクトル効率関数はメラノピック感度関数である、請求項１９記載の方法。
【請求項２１】
画像を出力するための表示デバイスであって、
垂直方向および水平方向に配置された画素配列であって、各画素は、複数の波長範囲から選択された各自の波長範囲の光を出力するように構成されている、画素配列を備え、
該複数の波長範囲は、該画像のメタ明度を各々制御するために該波長範囲のうち少なくとも２つが選択されるように設定される、表示デバイス。
【請求項２２】
前記画素配列は、少なくとも４つの色波長範囲を備える、請求項２１記載の表示デバイス。
【請求項２３】
前記画素配列は、紫の画素およびシアンの画素を含む、請求項２１または２２記載の表示デバイス。
【請求項２４】
前記画素配列は青の原色を含まない、請求項２１、２２、または２３記載の表示デバイス。
【請求項２５】
前記画素配列は、範囲４１０〜４７０ｎｍの波長を有する第１の画素を含む、請求項２１から２４のいずれか一項記載の表示デバイス。
【請求項２６】
前記第１の画素は４４０ｎｍ前後の波長を有する、請求項２５記載の表示デバイス。
【請求項２７】
前記画素配列は、範囲４７０〜５４０ｎｍの波長を有する第２の画素を含む、請求項２１から２６のいずれか一項記載の表示デバイス。
【請求項２８】
前記第２の画素は５０５ｎｍ前後の波長を有する、請求項２７記載の表示デバイス。
【請求項２９】
前記画素配列は、範囲５８０〜７４０ｎｍの波長を有する第３の画素を含む、請求項２０から２８のいずれか一項記載の表示デバイス。
【請求項３０】
前記第３の画素は６００ｎｍ前後の波長を有する、請求項２９記載の表示デバイス。
【請求項３１】
前記画素配列は、範囲５２０〜６１０ｎｍの波長を有する第４の画素を含む、請求項２０から３０のいずれか一項記載の表示デバイス。
【請求項３２】
前記第４の画素は５９０ｎｍ前後の波長を有する、請求項３１記載の表示デバイス。
【請求項３３】
前記画素配列は、紫、シアン、赤、および黄色の原色を出力するように構成された画素を含む、請求項２０から３２のいずれか一項記載の表示デバイス。
【請求項３４】
印刷媒体上に画像を出力するための印刷デバイスであって、
各自の色を有する着色剤を各々出力するように構成された複数の印刷モジュールを備え、該色は、該印刷媒体に印刷される画像のメタ明度を各々制御するために該色のうち少なくとも２つが選択されるように選択される、印刷デバイス。
【請求項３５】
メタ明度を記録し、該メタ明度を示す画像データを生成する撮像手段を備えた撮像デバイス。
【請求項３６】
前記撮像デバイスは、前記メタ明度を記録するための光学フィルタを備える、請求項３５記載のデバイス。
【請求項３７】
前記撮像手段は、第１の色空間に値を記録するための光学フィルタを備える、請求項３５または３６記載のデバイス。
【請求項３８】
前記撮像手段は、前記第１の色空間とは異なる色空間で画像データを生成するように構成される、請求項３７記載のデバイス。
【請求項３９】
前記生成された画像データは、前記画像データを前記第１の色空間から第２の色空間に対応付けるように構成された処理手段に出力される、請求項３７記載のデバイス。
【請求項４０】
前記画像データの知覚される色および明度が、前記第１の色空間と前記第２の色空間との間で維持される、請求項３８または３９記載のデバイス。
【請求項４１】
コンピュータによって実行されると、請求項１から２０のいずれか一項記載の方法を行うように構成されたコンピュータ・ソフトウェアであって、任意で、該コンピュータ・ソフトウェアがコンピュータ可読媒体に記憶される、コンピュータ・ソフトウェア。
【請求項４２】
添付図面を参照して概ね上述された通りの方法、表示デバイス、または印刷デバイス。
【発明の詳細な説明】
【技術分野】
【０００１】
本発明は、画像形成の改良に関する。
【背景技術】
【０００２】
見る者にとってより魅力的な画像を形成することは常に望まれている。画像は、媒体上に印刷もしくはその他の方法で形成されるか、または表示デバイス上で電子的に形成されるものなどの静止画像として形成することができる。印刷の分野では、革新として、新しいインクやトナー物質、媒体に物質を付着させる方法、媒体の進歩などがある。近年、陰極線管（ＣＲＴ）から、液晶ディスプレイ（ＬＣＤ）、発光ダイオード（ＬＥＤ）へ、そしてさらに最近では有機発光ダイオード（ＯＬＥＤ）へと、多くの新しいディスプレイ技術が登場している。これらの技術を発展させる動機の１つは、より魅力的な画像に対する要求である。より最近の関心事は、体内時計、眠気、および覚醒状態の１つまたは複数への影響を調整するためにディスプレイを制御することである。
【発明の概要】
【０００３】
本発明の実施形態の目的は、従来技術の問題の１つまたは複数を少なくとも緩和することである。
【０００４】
以下、本発明の実施形態について、添付図面を参照して単なる例として説明する。
【図面の簡単な説明】
【０００５】
【図１】本発明の一実施形態に係るデバイスの概略図である。
【図２】本発明の一実施形態に係る出力デバイスの説明図である。
【図３】本発明の一実施形態に係るスペクトルの説明図である。
【図４】本発明の一実施形態に係る出力スペクトルの説明図である。
【図５】本発明の一実施形態に係るさらに他のスペクトルの説明図である。
【図６】本発明の一実施形態に係る、メラノプシンに対するスペクトル感度関数を説明する図である。
【発明を実施するための形態】
【０００６】
魅力的で現実感のある画像を生成する側面の１つは、画像の明度を表現することにある。画像の明度は、見る者の体内時計、眠気、および覚醒状態にも影響を及ぼし得る。現在、明度は、画像の各エリアの輝度を制御することによって決定され、輝度は、目の錐体受容体に関係する光強度の測光指標である。本発明の実施形態は、カラー画像データを処理する方法および装置と、画像を出力するための表示デバイスと、画像の少なくとも一部分のメタ明度が制御される撮影デバイスとを提供する。メタ明度は、後に説明するように、メラノプシンの興奮に起因する画像の少なくとも一部分の明度である。
【０００７】
図１は、本発明の一実施形態に係る装置１００を図示する。装置１００は、画像データのメタ明度を制御するためにカラー画像データを処理する装置である。画像データのメタ明度は、画像データ中の色情報の知覚される色を実質的に維持しながら、装置１００によって制御することができる。
【０００８】
装置は、制御ユニット１１０と、画像データを受け取る入力ユニット１２０と、画像データを出力する出力ユニット１３０とを備える。制御ユニット１１０は、プロセッサ１１１と、データを記憶するための１つまたは複数のデバイスによって形成され得るメモリ１１２とを備える。メモリ１１２は、後に説明するように、画像データのメタ明度を制御するために、プロセッサが受け取った画像データの第１の色空間を第２の色空間に変換することを可能にするデータを記憶する。
【０００９】
入力ユニット１２０は、１つまたは複数の所定の規格に従って画像データを受け取るように動作する。画像データは、理解されるように、静止画像データ、または複数の静止画像によって形成されるものなどの動画像データである。入力ユニット１２０は、別のデバイス（図１には図示せず）から画像データを受け取るための有線または無線インターフェースを形成することができる。入力ユニット１２０は、１つまたは複数の所定の規格に従って、ＩＥＥＥ８０２．１１、ＣＥＡ−８６１によって定義されるＨＤＭＩ（登録商標）等の画像データを受け取るように動作することができる。入力ユニット１２０は他の規格に準拠してもよく、これらは例示に過ぎないことが認識されよう。
【００１０】
出力ユニット１３０は、表示デバイスや印刷デバイス（図１には図示せず）に画像データを出力するように構成される。画像データは、理解されるように、静止画像データ、または複数の静止画像によって形成されるものなどの動画像データである。出力ユニット１３０は、表示デバイスに画像データを出力するための有線または無線インターフェースを形成することができる。１つの実施形態では、出力ユニット１３０はＩＥＥＥ８０２．１１に従って動作するが、これは例示に過ぎないことが認識されよう。
【００１１】
入力ユニット１２０によって受け取られる画像データは、画像の領域の色情報を含んでおり、この色情報は第１の色空間で表される。第１の色空間は、画像データの領域の色を複数の原色に対して定義することができる。いくつかの実施形態では、３つの原色があってよいが、他の数の原色が使用されてもよいことが認識されよう。第１の色空間は、ＲＧＢ色空間、ＸＹＺ色空間、またはＣＩＥ−Ｌａｂなどのその派生物である。上述のリストは説明のみを目的とし、制限的ではないことが理解されよう。例えば、画像データ中では、点位置または画素などの領域は、各原色の色を示す複数の値によって定義される色を有し得る。例えば、数値を使用して、赤（Ｒ）、緑（Ｇ）、および青（Ｂ）各々の色レベルを定義することができる。同様に、ＣＩＥ色空間では、各位置または画素の色が、色相および彩度に対応するｘｙ座標と、輝度に対応するＹ値とによって定義される。したがって、ＣＩＥ色空間は、ｘｙＹ値として画素を定義する。第１の色空間のさらに他の例は、ＸＹＺによって定義される色である。このようにして、画像データの各領域の色は第１の色空間で定義される。
【００１２】
第１の色空間で表現された色情報を有する画像データは、入力ユニット１２０から制御ユニット１１０に伝達される。制御ユニット１１０は、画像データの色情報を第１の色空間から第２の色空間に対応付けするように構成される。詳細には、いくつかの実施形態において、プロセッサ１１１は、画像の一領域または画素などの、画像データの一部分の色情報を決定し、その色情報を第１の色空間から第２の色空間に変換するように構成される。１つの実施形態では、プロセッサ１１１は、第１の色空間の第１の色情報に基づいて、第２の色空間に対応する色情報をメモリ１１２で探索することにより、この変換を行うことができる。他の実施形態では、プロセッサ１１１は、１つまたは複数の事前に定義された関数を使用して、色情報を第１の色空間から第２の色空間に変換することができる。
【００１３】
第２の色空間は、色情報およびメタ明度情報を含み得る。いくつかの実施形態では、第２の色空間はさらに輝度情報を含む。色情報は各位置の色を定義し、輝度情報は位置の輝度を定義し、メタ明度は位置のメタ明度を定義する。メタ明度情報は、複数の事前に定義されたメタ明度レベルまたは状態のうち１つの識別を含むことができる。後に説明するように、いくつかの実施形態では、２つのメタ明度レベルが使用される。ただし、いくつかの実施形態では３つ以上のメタ明度レベルが使用されてもよい。本発明のいくつかの実施形態では、第２の色空間は４つの原色を含む。いくつかの実施形態では、第２の色空間の原色は、Ｖｉｏｌｅｔ−Ｃｙａｎ−Ｒｅｄ−Ｙｅｌｌｏｗ（ＶＣＲＹ）である。ただし、本発明の実施形態は、４つの原色に限定されず、５つ以上の他の数の原色が想定され得ることが認識されよう。
【００１４】
本発明の実施形態をよりよく理解するために、次いで、実験設備と、第１の色空間と第２の色空間との間の変換の説明を例として提供する。
【００１５】
図２は、本発明の一実施形態に係るシステム２００を図示する。システム２００は、第１の投影デバイス２２０と第２の投影デバイス２３０とに通信的に結合されたコンピューティング・デバイス２１０からなる画像投影システムである。投影デバイス２２０、２３０は、コンピューティング・デバイス２１０に応答して表面上に画像を投影するように構成される。投影デバイス２２０、２３０は各々、光源と、表面上にカラー画像を形成するための画像形成手段とを備え、投影デバイス２２０、２３０は、各デバイス２２０、２３０によって投影された画像が表面上で一致するように位置合わせされる。コンピューティング・デバイスは、投影デバイス２２０、２３０を制御し、それらに画像データを提供するように構成され、それに対応して投影デバイス２２０、２３０は表面に画像を投影し、すなわち、両方の投影デバイス２２０、２３０は、コンピューティング・デバイス２１０から同じ画像データを受け取るように制御される。
【００１６】
図３は、特に図２を参照して本発明の実施形態を理解するのに役立つ複数のスペクトルを図示する。図３Ａは、フィルタリングを行わない場合の各プロジェクタ２２０、２３０のスペクトル出力を図示する。ただし、本発明の一実施形態により画像のメタ明度を制御するためにはＶＣＲＹ色空間で画像を形成することが望ましい。本発明の一実施形態に係るＶＣＲＹ色空間のスペクトルを図３Ｂおよび図５に図示する。
【００１７】
より具体的に図５を参照すると、ＶＣＲＹスペクトルは、ＶＣＲＹ色の各々に対応する発光領域またはピークを備える。１つの実施形態では、紫（Ｖ）に対応する第１のピーク５１０は、範囲４１０〜４７０ｎｍの波長を有し、シアン（Ｃ）に対応する第２のピーク５２０は、４７０〜５４０ｎｍ前後の波長を有し、赤（Ｒ）に対応する第３のピーク５３０は、５８０〜７００ｎｍ前後の波長を有し（いくつかの実施形態では、赤色波長は、例えば７４０ｎｍまで続く場合もある）、黄色（Ｙ）に対応する第４のピーク５４０は、５２０〜６１０ｎｍ前後の波長を有する。ただし、上述のピークの１つまたは複数は、第１の、すなわち紫の原色については４３０〜４７０ｎｍの領域、第２の、すなわちシアンの原色については４７０〜５１０ｎｍの領域、第３の、すなわち赤の原色については５８０〜７００ｎｍの領域、および／または、第４の、すなわち黄色の原色については５６０〜６１０ｎｍの領域にあってもよい。上述の範囲の様々な組み合わせを想定できることが認識されよう。例えばＲＧＢ色空間とは異なり、第２の色空間は、発光波長が青に対応する単一の原色は含まず、青は、４４０〜４８０ｎｍの間の波長領域にあるピークと定義することができる。本発明の実施形態では、ＶＣＲＹスペクトルは、ピーク波長が５２０ｎｍ未満の２つの原色を含む。この５２０ｎｍ未満の２つの原色は隔たっていてよい。この隔たりは、ＶＣＲＹスペクトル内の間隙または空間が、青の波長に対応し得る４４０〜４８０ｎｍの間のどこかに存在するような隔たりであってよい。
【００１８】
ＶＣＲＹ色空間で画像を形成するために、第１のプロジェクタ２２０はノッチ・フィルタを備え、第２のプロジェクタは帯域通過フィルタを備える。ＶＣＲＹ色空間で画像を形成する他の方法が想定され得ることが認識されよう。ノッチ・フィルタのスペクトル効率を図３Ｃに図示し、帯域通過フィルタのスペクトル効率を図３Ｄに図示している。ノッチ・フィルタと組み合わせた第１のプロジェクタ２２０を使用して画像のＶ、Ｙ、およびＲチャネルを形成し、帯域通過フィルタを備えた第２のプロジェクタ２３０を使用して画像のＣチャネルを形成する。ノッチ・フィルタは、４６３／５７１ｎｍのマゼンタ・フィルタであってよく、帯域通過フィルタは、４８４／６０４ｎｍの緑色フィルタであってよく、どちらもＨａｌｍａ  ｐｌｃの子会社であるｐｉｘｅｌｔｅｑから入手可能である。ただし、同様のスペクトル効率の他のフィルタが使用されてよいことが認識されよう。コンピューティング・デバイス２１０が、異なるフィルタを備えた第１および第２のプロジェクタ２２０、２３０の両方に画像データを提供し、それらが組み合わさってＶＣＲＹ色空間の画像を投影することにより、後に説明するように、画像または画像の領域のメタ明度、または画像の領域を制御することができる。詳細には、１つの実施形態では、画像は、第１のメタ明度を有する１つまたは複数の領域と、第２のメタ明度を有する１つまたは複数の領域とを含む。第１のメタ明度はより高いレベルのメタ明度であってよく、これをｍ−ＨＩＧＨと呼び、第２のメタ明度レベルはより低いレベルのメタ明度であってよく、これをｍ−ＬＯＷと呼ぶ。他の数のメタ明度レベルが想定され得ることが理解されよう。
【００１９】
本発明の実施形態では、ＶＣＲＹ原色（Ｖｉｏｌｅｔ−Ｃｙａｎ−Ｒｅｄ−Ｙｅｌｌｏｗ色の各々）は、ｍ−ＨＩＧＨ状態およびｍ−ＬＯＷ状態両方の画素が概して同じ色相、彩度、および輝度を有する画像を生成するように制御される。いくつかの実施形態では、これらの属性の１つまたは２つがそれぞれその他の２つまたは１つよりも重要であるとみなされる。例えば、色相および彩度のみが２つのメタ明度状態間で概ね等しくなるように、これらの原色を制御することができる。本発明の実施形態では、メタ明度は、スペクトル効率関数またはスペクトル感度関数Ｍによって定義される。Ｍは、光の波長に対する目のメラノプシン反応を表すメラノプシン・スペクトル効率関数に影響されるか、またはそれから導出され得る。波長に対するＭのプロット例を図６に図示する。メラノプシン・スペクトル効率関数は、光の波長に対する目のメラノプシン反応を表す。図６に示すように、１つの実施形態では、Ｍは、４８０ｎｍの光の波長に対するピーク反応（λｍａｘ）を有する。ただし、λｍａｘは４４０〜５１５ｎｍの間であってよいことが理解されよう。
【００２０】
図４を参照すると、ｘｙ色空間における色の説明図を示しており、位置が星印で図４Ｂに示され、それに対応するＶＣＲＹ原色またはチャネルのスペクトル出力が、図４Ａの第１および第２のメタ明度レベル、ｍ−ＨＩＧＨ４１０およびｍ−ＬＯＷ４２０に示されている。したがって、見る者にとっては、組み合わせられたスペクトル出力は両方とも同じ色に見えるが、メタ明度が異なる。
【００２１】
次いで、第１の色空間から第２の色空間への変換の説明を提供するが、ここで、第２の色空間は、第１の色空間における色の表現を、様々に異なるメタ明度設定で提供する。
【００２２】
上述のように、画素の色は、ＸＹＺまたはＲＧＢ色空間の中でそれぞれの座標の組として表現できる。これらの座標から、色相および彩度をｘｙ座標として画素に関して記述することができ、任意のスペクトル出力について輝度をＣＩＥ色空間のＹとして表すことができる。したがって、理解されるように、ある画素のｘｙＹ値は、そのＸＹＺまたはＲＧＢ値から導出することができる。
【００２３】
第２の色空間のＶＣＲＹ原色の組み合わせについて、ＸＹＺおよびＭ座標を記述することができる。Ｍの値は、第２の色空間におけるメタ明度を定義する。そのような記述は、各チャネルまたは原色のスペクトル・パワー分布と、ＸＹＺおよびＭ各々のスペクトル効率関数Ｘとに基づく。各原色のスペクトル・パワー分布をそれぞれＱＶ、ＱＣ、ＱＲ、およびＱＹと表す。Ｍのスペクトル効率は、メラノピック（melanopic）感度関数に基づいて決定することができる。下記のように行列を提供することができ、これにより、これらの関数を組み合わせて各ＶＣＲＹ原色のＸＹＺＭ座標を計算することができる。
【００２４】
【表１】
2019508993.tif 000003
【００２５】
ここで、例えば、Ｖ（Ｘ）は、Ｖ原色の出力の結果得られるＸ座標である。
【００２６】
上記行列１および上述の関数に基づくと、以下の成分は次のように計算することができる。
Ｖ（Ｘ）＝∫ＱＶ（λ）．Ｘ（λ）．ｄ（λ）    （式１ａ，ｉ−ｉｖ）
Ｖ（Ｙ）＝∫ＱＶ（λ）．Ｙ（λ）．ｄ（λ）
Ｖ（Ｚ）＝∫ＱＶ（λ）．Ｚ（λ）．ｄ（λ）
Ｖ（Ｍ）＝∫ＱＶ（λ）．Ｍ（λ）．ｄ（λ）
Ｃ（Ｘ）＝∫ＱＣ（λ）．Ｘ（λ）．ｄ（λ）    （式１ｂ，ｉ−ｉｖ）
Ｃ（Ｙ）＝∫ＱＣ（λ）．Ｙ（λ）．ｄ（λ）
Ｃ（Ｚ）＝∫ＱＣ（λ）．Ｚ（λ）．ｄ（λ）
Ｃ（Ｍ）＝∫ＱＣ（λ）．Ｍ（λ）．ｄ（λ）
Ｒ（Ｘ）＝∫ＱＲ（λ）．Ｘ（λ）．ｄ（λ）    （式１ｃ，ｉ−ｉｖ）
Ｒ（Ｙ）＝∫ＱＲ（λ）．Ｙ（λ）．ｄ（λ）
Ｒ（Ｚ）＝∫ＱＲ（λ）．Ｚ（λ）．ｄ（λ）
Ｒ（Ｍ）＝∫ＱＲ（λ）．Ｍ（λ）．ｄ（λ）
Ｙ（Ｘ）＝∫ＱＹ（λ）．Ｘ（λ）．ｄ（λ）    （式１ｄ，ｉ−ｉｖ）
Ｙ（Ｙ）＝∫ＱＹ（λ）．Ｙ（λ）．ｄ（λ）
Ｙ（Ｚ）＝∫ＱＹ（λ）．Ｚ（λ）．ｄ（λ）
Ｙ（Ｍ）＝∫ＱＹ（λ）．Ｍ（λ）．ｄ（λ）
【００２７】
ここで、上述のように、Ｑは、波長λに対する紫（Ｖ）など、それぞれの原色のスペクトル・パワー分布であり、Ｘ（λ）はスペクトル効率関数である。したがって、例えば、式１ａｉを使用して、Ｖチャネルによって提供されるＸ座標をＶ（Ｘ）と決定する等する。
【００２８】
各原色の出力は、それぞれ最小出力および最大出力を表す第１の制限値と第２の制限値との間の値として定義することができる。これらの制限値はそれぞれ０および２５５に対応し得るが、他の制限値が使用されてよいことが認識されよう。したがって、各原色の出力は、１つの実施形態では範囲０〜２５５の値である。各原色の出力を、ｖｉ、ｃｉ、ｒｉ、ｙｉと表すことができる。各原色出力の値の効果、すなわち０〜２５５の間で変動するｖｉ、ｃｉ、ｒｉ、ｙｉを決定するために、１つの実施形態では、各チャネルにガンマ補正を使用する。１つの実施形態では、ガンマ補正は、定数ｋｖ、ｋｃ、ｋｒ、ｋｙによって記述されるスケーリング関数であるものとする。ただし、他のガンマ補正関数が使用されてよいことが理解されよう。したがって、任意の画素の４Ｄ（ＸＹＺＭ）の第２の色空間座標は、式２ａ〜ｄに基づいて、その原色の値、すなわちｖｉ、ｃｉ、ｒｉ、ｙｉの値に基づいて、決定することができる。
Ｘ＝ｖｉ．ｋｖ．Ｖ（Ｘ）＋ｃｉ．ｋｃ．Ｃ（Ｘ）＋ｒｉ．ｋｒ．Ｒ（Ｘ）＋ｙｉ．ｋｙ．Ｙ（Ｘ）
（式２ａ）
Ｙ＝ｖｉ．ｋｖ．Ｖ（Ｙ）＋ｃｉ．ｋｃ．Ｃ（Ｙ）＋ｒｉ．ｋｒ．Ｒ（Ｙ）＋ｙｉ．ｋｙ．Ｙ（Ｙ）
（式２ｂ）
Ｚ＝ｖｉ．ｋｖ．Ｖ（Ｚ）＋ｃｉ．ｋｃ．Ｃ（Ｚ）＋ｒｉ．ｋｒ．Ｒ（Ｚ）＋ｙｉ．ｋｙ．Ｙ（Ｚ）
（式２ｃ）
Ｍ＝ｖｉ．ｋｖ．Ｖ（Ｍ）＋ｃｉ．ｋｃ．Ｃ（Ｍ）＋ｒｉ．ｋｒ．Ｒ（Ｍ）＋ｙｉ．ｋｙ．Ｙ（Ｍ）
（式２ｄ）
ここで、ｖｉは、例えば原色ｖの出力であり、０〜２５５の間の値を有することができ、ｋｖは、例えばチャネルＶについてのガンマ補正であり、Ｖ（［Ｘ，Ｙ，Ｚ，Ｍ］）は式１のようにして計算される。
【００２９】
次いで、上記の教示を適用する方法を例として説明する。図１Ｂに示す４チャネルのＶＣＲＹ出力など、所定のスペクトル・パワー分布を有するシステムの場合、行列１の一実施形態は次のように決定することができる。
【００３０】
【表２】
2019508993.tif 000004
【００３１】
各チャネルのガンマ補正は簡単のために１に近似することができ、すなわち、ｋｖ、ｋｃ、ｋｒ、ｋｙは各々１に等しい。
【００３２】
次いで、行列２を式２ａ〜ｄと組み合わせて使用して、異なるメタ明度レベルを有する原色出力値の２通りの組み合わせを決定する。詳細には、原色出力値の２通りの組み合わせは、それぞれｍ−ＨＩＧＨおよびｍ−ＬＯＷである各自のメタ明度レベルを有することができる。すなわち、２つのメタ明度レベルは、Ｍ座標にかなりの差がある可能性がある。この例では、ｘｙ色座標はそれぞれ０．５３および０．３９であり、輝度はＹ＝２５０ｃｄ／ｍ２である。０．５３および０．３９のｘｙ色座標は、図４Ｂに示される座標である。下記の行列３および４は、これらのメタ明度レベルについての原色出力値の組み合わせを要約したものである。原色出力値は角括弧の中に示しており、合計のＸＹＺＭ出力は、Σと表される最後の列に示している。
【００３３】
【表３】
2019508993.tif 000005
【００３４】
【表４】
2019508993.tif 000006
【００３５】
行列３および４各々のＶＣＲＹスペクトルを図４Ａに図示しており、線４１０はｍ−ＨＩＧＨスペクトルを示し、線４２０はｍ−ＬＯＷスペクトルを示している。
【００３６】
各行列からのＸＹＺ座標を、式３ａおよび３ｂを使用して、ＣＩＥ色空間座標に変換することができる。
ｘ＝Ｘ／（Ｘ＋Ｙ＋Ｚ）    （式３ａ）
ｙ＝Ｙ／（Ｘ＋Ｙ＋Ｚ）    （式３ｂ）
【００３７】
したがって、ｘｙＹ値およびＭ値は、ｍ−ＨＩＧＨおよびｍ−ＬＯＷのメタ明度状態各々における色を表す行列３および４の各々について決定することができる。これらを、表１の例示的な色座標について、２つのメタ明度レベルの値の差とともに下に図示する。
【００３８】
【表５】
2019508993.tif 000007
【００３９】
表１から、ｘｙＹの値は比較的近い（最大で２％の差）のに対し、Ｍの値は、２つのメタ明度レベルに対してかなり異なっている（＞５０％の差）ことが理解できる。
【００４０】
ｘｙＹ値とＭ値の任意の組に対して、ＶＣＲＹの設定値も計算できることが理解されよう。上記のように、本発明の一実施形態では、４つのＶＣＲＹ原色のスペクトル・パワー分布を使用して、上記の方法を使用し、式１ａ−ｄ、３ａ、および３ｂで、各自のｘｙＹおよびＭ座標値（ｘＶｙＶＹＶＭＶ、ｘＣｙＣＹＣＭＣ、ｘＲｙＲＹＲＭＲ、およびｘＹｙＹＹＹＭＹ）を計算することができる。したがって、任意の画素のｘｙＹおよびＭ座標は、４つの原色ＫＶ、ＫＣ、ＫＹ、およびＫＲの相対的な出力によって定義することができる。本発明の一実施形態では、これらの値は、下の式４ａ〜４ｄに表される式を解くことによって、目標とする任意のｘｙＹおよびＭ（ｘＴｙＴＹＴＭＴ）座標について決定することもできる。
【数１】
2019508993.tif 000008
（式４ａ）
【数２】
2019508993.tif 000009
（式４ｂ）
ＹＴ＝ＫＶ＊ＹＶ＋ＫＣ＊ＹＣ＋ＫＹ＊ＹＹ＋ＫＲ＊ＹＲ    （式４ｃ）
ＭＴ＝ＫＶ＊ＭＶ＋ＫＣ＊ＭＣ＋ＫＹ＊ＭＹ＋ＫＲ＊ＭＲ    （式４ｄ）
【００４１】
ＭＴは、撮像デバイスによって決定されても、またはユーザによって定義されてもよいことが理解されよう。いくつかの実施形態では、ＭＴの値のすべてがあらゆる目標ｘｙＹ座標に対して達成できる訳ではなく、したがって、ＫＶ、ＫＣ、ＫＹ、およびＫＲの計算の前にＭＴに対する制約を適用すべきである。
【００４２】
所与のＲＧＢ値およびＭ値に対してＶＣＲＹの設定値を計算する上記のような方法は、継続的に変動するメタ明度レベルの計算を可能にするという利点があることが理解されよう。
【００４３】
簡易試験として、１０人の人からなるグループに、メタ明度を増大させた部分を持つ画像を見る際に、図２に図示されるシステム２００の出力を観察するように密かに要求した。詳細には、当該部分はｍ−ＨＩＧＨとして設定した。一貫して、見る者は、メタ明度を増大させた部分の方が目に見えて明るいと示した。
【００４４】
本発明の実施形態は、第２の色空間を表す物理的出力を含む。すなわち、物理的出力は、画像の少なくとも一部分のメタ明度を制御した部分を含む。物理的出力は、例えば、第１のメタ明度レベルである第１の部分と、第２のメタ明度レベルを有する第２の部分とを有する印刷物である。第１のメタ明度レベルは上述のｍ−ＨＩＧＨレベルであってよく、第２のメタ明度レベルはｍ−ＬＯＷのメタ明度レベルであってよい。物理的出力は、上述のＶＣＲＹ原色などの４つの原色によって生成することができ、ここで、印刷物上の各位置に対応する各原色のレベルを上記のようにして選択して、それぞれの画素のメタ明度を制御する。
【００４５】
別の実施形態では、画像を出力するための表示デバイスが提供され、画像は、画像の少なくとも一部分のメタ明度が制御されている。表示デバイスは、上記のように投影デバイスであってよい。他の実施形態では、表示デバイスは、照明される画素によって形成されてよい。そのような実施形態では、デバイスは画素配列を備える。配列の画素は、垂直方向および水平方向に配置することができる。各画素は、複数の波長範囲から選択された１つまたは複数の各自の波長範囲の光を出力するように構成される。複数の波長範囲は、それぞれの画素のメタ明度を制御するためにそれら波長範囲のうち少なくとも２つが選択されるように設定される。複数の波長範囲は、上述のＶＣＲＹ原色の各々に対応し得る。
【００４６】
上述のように、ＶＣＲＹスペクトルは、ＶＣＲＹ色の各々に対応するピークを備える。１つの実施形態では、紫（Ｖ）に対応する第１のピーク５１０は、範囲４１０〜４７０ｎｍの波長を有し、シアン（Ｃ）に対応する第２のピーク５２０は、４７０〜５４０ｎｍ前後の波長を有し、赤（Ｒ）に対応する第３のピーク５３０は、５８０〜７００ｎｍ前後の波長を有し（いくつかの実施形態では、赤色波長は、例えば７４０ｎｍまで続く場合もある）、黄色（Ｙ）に対応する第４のピーク５４０は、５２０〜６１０ｎｍ前後の波長を有する。ただし、上記ピークの１つまたは複数が、第１の、すなわち紫の原色については４３０〜４７０ｎｍの領域、第２の、すなわちシアンの原色については４７０〜５１０ｎｍの領域、第３の、すなわち赤の原色については５８０〜７００ｎｍの領域、および／または、第４の、すなわち黄色の原色については５６０〜６１０ｎｍの領域にあってもよい。上記範囲の様々な組み合わせが想定できることが認識されよう。上記で説明したように、例えばＲＧＢ色空間と異なり、第２の色空間は、青に対応する発光波長の単一の組は含まない。
【００４７】
上記のように、本発明のいくつかの実施形態では、５つ以上の原色があってもよい。
【００４８】
このようにして、表示デバイスは、画素が所望の色を、ただし選択されたメタ明度で表すことができるように、各画素のメタ明度を制御することができる。選択されるメタ明度は、第１のメタ明度レベルおよび第２のメタ明度レベルの一方であってよい。第１のメタ明度レベルはｍ−ＨＩＧＨレベルであってよく、第２のメタ明度レベルはｍ−ＬＯＷメタ明度レベルであってよい。いくつかの実施形態では、表示デバイスは、ＸＹＺまたはＲＧＢなどの第１の色空間で表された色情報を有する画像データを受け取り、画像データの色情報に第１の色空間から第２の色空間へと変換を行った後に、第２の色空間の画像データを出力するように構成される。論じられるように、対応付けは、色情報の知覚される色を実質的に維持するとともに、画像データのメタ明度を選択するように構成される。いくつかの実施形態では、表示デバイスは、ＸＹＺまたはＲＧＢなどの第１の色空間から、ＶＣＲＹであり得る第２の色空間への変換を行う。
【００４９】
本発明の一実施形態では、画像データのメタ明度を決定する構成とされる撮像デバイスが提供される。撮像デバイスは、Ｍと同様の応答関数を有する画像データを生成する手段を備え、Ｍの一例を図６に示す。１つの実施形態における撮影デバイスは、メラノプシン・スペクトル感度関数Ｍに対応する１つまたは複数のスペクトル・チャネルを備える。
【００５０】
本発明の一実施形態では、メタ明度を記録し、その画像データを生成する撮像手段を備えた、カメラなどの撮像デバイスが提供される。本発明の一実施形態では、撮像デバイスは、メタ明度レベルを取得するための少なくとも１つのフィルタを備える。以前には、カメラは、値を取得して、それを第１の色空間、すなわちＲ、Ｇ、およびＢの色平面に記録するための光学フィルタを内蔵するように構成されたサブ画素を備えていた。しかし、メタ明度レベルを取得するために、カメラは第４のサブ画素を備える場合がある。４つのサブ画素は、第２の色空間、すなわちＶＣＲＹの色平面に応答する光学フィルタを備える。本発明の一実施形態では、各サブ画素を、ＶＣＲＹ表示原色に対応する光学フィルタに関連付けることができる。動作時には、Ｖ、Ｃ、Ｒ、またはＹの色平面などの、対応する第２の色空間の放射に一致するように、光学フィルタのスペクトル透過を決定することができる。
【００５１】
本発明の一実施形態では、視覚的空間内の点の色、輝度、およびメタ明度など、第１の色空間の値を取得し、それに応じて画像データを生成するように構成された複数の光学フィルタを備える、カメラなどの撮像デバイスが提供される。いくつかの実施形態では、画像データは、第１の色空間とは異なる色空間で生成することができる。いくつかの実施形態では、画像データは、画像データを第１の色空間から第２の色空間に対応付けするように構成された処理手段に出力されてよい。いくつかの実施形態では、画像データの知覚される色およびメタ明度は、第１の色空間と第２の色空間の間で維持されることができる。撮像デバイスは、Ｍと同様の応答関数を有する画像データを生成する手段を備えることができる。画像データは、先に論じたＶＣＲＹ原色などの４原色によって出力デバイスで、または適切なガンマ設定を有する任意の４原色ディスプレイで再現することができる。
【００５２】
画像データがＶＣＲＹ原色などの４つ以上の画像表示原色によって出力デバイスで再現される本発明の実施形態では、ＶＣＲＹ画像データは、画像表示原色に関連する１つまたは複数のガンマ補正パラメータを決定することによって再現することもできる。ガンマ補正パラメータは、取得された画像データおよび画像表示原色のｘｙＹＭ色空間における位置の差に基づくことができる。
【００５３】
フィルタは、ＶＣＲＹ表示原色のピーク放射の範囲に対応する光の波長を選択的に透過させることができる。例えば、１つの実施形態では、紫（Ｖ）に対応する第１のピークは範囲４１０〜４７０ｎｍの波長を有し、シアン（Ｃ）に対応する第２のピークは、４７０〜５４０ｎｍ前後の波長を有し、赤（Ｒ）に対応する第３のピークは、５８０〜７００ｎｍ前後の波長を有し（いくつかの実施形態では、赤色波長は、例えば７４０ｎｍまで続く場合もある）、黄色（Ｙ）に対応する第４のピークは、５２０〜６１０ｎｍ前後の波長を有する。ただし、上述のピークの１つまたは複数は、第１の、すなわち紫の原色については４３０〜４７０ｎｍの領域、第２の、すなわちシアンの原色については４７０〜５１０ｎｍの領域、第３の、すなわち赤の原色については５８０〜７００ｎｍの領域、および／または、第４の、すなわち黄色の原色については５６０〜６１０ｎｍの領域にあってもよい。上述の範囲の様々な組み合わせを想定できることが認識されよう。
【００５４】
本発明のさらに他の実施形態では、画像データを取得し、ＲＧＢディスプレイに従ってその画像データを出力するように構成された撮像デバイスが提供される。撮像デバイスは、視覚的空間内の点の色、輝度、およびメタ明度を取得し、それに応じて画像データを出力するように構成することができる。撮像デバイスは、Ｍと同様の応答関数を有する画像データを生成する手段を備えることができる。本発明のそのような実施形態では、撮像デバイスは、ＲＧＢスペクトルに従って画像データを出力するように構成することができ、ここで、取得された画像のＭの値が、出力画像データの輝度を定義する際に含められてよい。利点として、これにより、既存のＲＧＢディスプレイ・アーキテクチャ上で、取得された画像データを表示することが可能になる。
【００５５】
本発明の一実施形態を用いた実験試験で、ｍ−ＨＩＧＨおよびｍ−ＬＯＷスペクトルで描画された大きな円盤の投影を出力するための表示デバイスを提供した。本発明に従い、スペクトルはｘｙ色座標および輝度に関しては一致させたが、各自の相対的なメラノプシン興奮は異なっていた。一般人に、投影された２つの大きな円のうちどちらが「より明るい」かを選択するように要求した。その結果は、１２０人のうち１１２人がｍ−ＨＩＧＨの投影を選択したことを示した。ｍ−ＨＩＧＨ画像とｍ−ＬＯＷ画像の違いを説明するように尋ねたところ、ｍ−ＨＩＧＨの投影は、より「強く」または「鮮明」に見えると表現された。
【００５６】
本発明の実施形態は、ハードウェア、ソフトウェア、またはハードウェアとソフトウェアの組み合わせの形態で実現できることが理解されよう。そのようなソフトウェアは、例えば、消去可能もしくは書き換え可能であるか否かを問わず、ＲＯＭのような記憶装置などの揮発性または不揮発性ストレージの形態で、または、例えばＲＡＭ、メモリ・チップ、デバイス、もしくは集積回路などのメモリの形態で、または、例えばＣＤ、ＤＶＤ、磁気ディスク、もしくは磁気テープなどの光学的もしくは磁気的に読み出し可能な媒体に記憶されてよい。記憶装置および記憶媒体は、実行されると本発明の実施形態を実装する１つまたは複数のプログラムを記憶するのに適した機械可読記憶の実施形態であることが理解されよう。したがって、実施形態は、先行する請求項に記載されるシステムまたは方法を実施するためのコードを備えたプログラムと、そのようなプログラムを記憶した機械可読ストレージとを提供する。さらに、本発明の実施形態は、有線または無線接続を通じて搬送される通信信号など任意の媒体を介して電子的に伝送されてよく、実施形態はその媒体を適宜包含する。
【００５７】
本明細書（添付の請求項、要約書、および図面を含む）に開示される特徴のすべて、および／または同様に開示される方法もしくはプロセスのステップのすべては、そのような特徴および／またはステップの少なくとも一部が相互に排他的となる組み合わせを除いて、任意の組み合わせで組み合わせることができる。
【００５８】
本明細書（添付の請求項、要約書、および図面を含む）に開示される各特徴は、明確に別途指定しない限り、同じ、同等の、または同様の目的を果たす代替の特徴に置き換えることができる。そのため、明確に別途指定しない限り、開示される各特徴は、同等または同様の特徴の一般的な集合の一例に過ぎない。
【００５９】
本発明は、どの前述の実施形態の詳細にも制限されない。本発明は、本明細書（添付の請求項、要約書、および図面を含む）に開示される特徴のうち新規の１つ、もしくは新規な組み合わせに、または、同様に開示される方法もしくはプロセスのステップのうち新規の１つ、もしくは新規な組み合わせに適用される。請求項は、前述の実施形態だけを対象とするとは解釈すべきでなく、特許請求の範囲に該当するいずれの実施形態も対象として含むものと解釈すべきである。
【図１】
2019508993.tif 000010
【図２】
2019508993.tif 000011
【図３】
2019508993.tif 000012
【図４】
2019508993.tif 000013
【図５】
2019508993.tif 000014
【図６】
2019508993.tif 000015
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
カラー画像データを処理する、コンピュータにより実施される方法であって、
第１の色空間で表された色情報を有する画像の第１および第２の領域に対応する画像データを受け取るステップと、
該画像データの該色情報を第１の色空間から第２の色空間に変換するステップであって、対応付けは、該色情報の知覚される色を実質的に維持するとともに、該第１および第２の領域のメタ明度を選択するように構成される、ステップと、
該第２の色空間における色情報を有する該画像データを出力するステップと、
を含む方法。
【請求項２】
前記第２の色空間は少なくとも４色の原色を含む、請求項１記載の方法。
【請求項３】
前記第２の色空間は、紫の原色およびシアンの原色を示す情報を含む、請求項１または２記載の方法。
【請求項４】
前記第２の色空間は青の原色を含まない、請求項２または３記載の方法。
【請求項５】
前記第１および第２の領域の一方または両方が、前記画像の点位置または画素である、請求項１から４のいずれか一項記載の方法。
【請求項６】
前記第１の領域の前記選択されるメタ明度は、前記第２の領域の前記選択されるメタ明度とは異なる、請求項１から５のいずれか一項記載の方法。
【請求項７】
前記第２の色空間は、範囲４１０〜４７０ｎｍの波長を有する第１の原色を含む、請求項１から６のいずれか一項記載の方法。
【請求項８】
前記第１の原色は４４０ｎｍ前後の波長を有する、請求項７記載の方法。
【請求項９】
前記第２の色空間は、範囲４７０〜５４０ｎｍの波長を有する第２の原色を含む、請求項１から８のいずれか一項記載の方法。
【請求項１０】
前記第２の原色は５０５ｎｍ前後の波長を有する、請求項９記載の方法。
【請求項１１】
前記第２の色空間は、範囲５８０〜７４０ｎｍの波長を有する第３の原色を含む、請求項１から１０のいずれか一項記載の方法。
【請求項１２】
前記第３の原色は６００ｎｍ前後の波長を有する、請求項１１記載の方法。
【請求項１３】
前記第２の色空間は、範囲５２０〜６１０ｎｍの波長を有する第４の原色を含む、請求項１から１２のいずれか一項記載の方法。
【請求項１４】
前記第４の原色は５９０ｎｍ前後の波長を有する、請求項１３記載の方法。
【請求項１５】
前記第２の色空間は、紫、シアン、赤、および黄色の原色を示す情報を含む、請求項１から１４のいずれか一項記載の方法。
【請求項１６】
前記第１および第２の領域についてのメタ明度レベルを選択するステップは、前記第２の色空間における前記画像データの複数のメタ明度レベルのうち１つを選択することを含む、請求項１から１５のいずれか一項記載の方法。
【請求項１７】
前記複数のメタ明度レベルは、高いメタ明度を表す第１のメタ明度レベルと、低いメタ明度を表す第２のメタ明度レベルとを含む、請求項１６記載の方法。
【請求項１８】
前記第１および第２のメタ明度レベルは、いくつかの色について少なくとも２０％だけ出力が異なり、任意で、前記第１および第２のメタ明度レベルは、いくつかの色について少なくとも５０％だけ出力が異なる、請求項１７記載の方法。
【請求項１９】
前記変換ステップは、前記第２の色空間における出力スペクトルと、前記第２の色空間における各原色のスペクトル・パワー分布および前記第１の色空間における各原色についてのスペクトル効率関数と、前記メタ明度とに基づく、請求項１から１８のいずれか一項記載の方法。
【請求項２０】
前記メタ明度についての前記スペクトル効率関数はメラノピック感度関数である、請求項１９記載の方法。
【請求項２１】
画像を出力するための表示デバイスであって、
垂直方向および水平方向に配置された画素配列であって、各画素は、複数の波長範囲から選択された各自の波長範囲の光を出力するように構成されている、画素配列を備え、
該複数の波長範囲は、該画像のメタ明度を各々制御するために該波長範囲のうち少なくとも２つが選択されるように設定される、表示デバイス。
【請求項２２】
前記画素配列は、少なくとも４つの色波長範囲を備える、請求項２１記載の表示デバイス。
【請求項２３】
前記画素配列は、紫の画素およびシアンの画素を含む、請求項２１または２２記載の表示デバイス。
【請求項２４】
前記画素配列は青の原色を含まない、請求項２１、２２、または２３記載の表示デバイス。
【請求項２５】
前記画素配列は、範囲４１０〜４７０ｎｍの波長を有する第１の画素を含む、請求項２１から２４のいずれか一項記載の表示デバイス。
【請求項２６】
前記第１の画素は４４０ｎｍ前後の波長を有する、請求項２５記載の表示デバイス。
【請求項２７】
前記画素配列は、範囲４７０〜５４０ｎｍの波長を有する第２の画素を含む、請求項２１から２６のいずれか一項記載の表示デバイス。
【請求項２８】
前記第２の画素は５０５ｎｍ前後の波長を有する、請求項２７記載の表示デバイス。
【請求項２９】
前記画素配列は、範囲５８０〜７４０ｎｍの波長を有する第３の画素を含む、請求項２１から２８のいずれか一項記載の表示デバイス。
【請求項３０】
前記第３の画素は６００ｎｍ前後の波長を有する、請求項２９記載の表示デバイス。
【請求項３１】
前記画素配列は、範囲５２０〜６１０ｎｍの波長を有する第４の画素を含む、請求項２１から３０のいずれか一項記載の表示デバイス。
【請求項３２】
前記第４の画素は５９０ｎｍ前後の波長を有する、請求項３１記載の表示デバイス。
【請求項３３】
前記画素配列は、紫、シアン、赤、および黄色の原色を出力するように構成された画素を含む、請求項２１から３２のいずれか一項記載の表示デバイス。
【請求項３４】
印刷媒体上に画像を出力するための印刷デバイスであって、
各自の色を有する着色剤を各々出力するように構成された複数の印刷モジュールを備え、該色は、該印刷媒体に印刷される画像のメタ明度を各々制御するために該色のうち少なくとも２つが選択されるように選択される、印刷デバイス。
【請求項３５】
メタ明度を記録し、該メタ明度を示す画像データを生成する撮像手段を備えた撮像デバイス。
【請求項３６】
前記撮像デバイスは、前記メタ明度を記録するための光学フィルタを備える、請求項３５記載のデバイス。
【請求項３７】
前記撮像手段は、第１の色空間に値を記録するための光学フィルタを備える、請求項３５または３６記載のデバイス。
【請求項３８】
前記撮像手段は、前記第１の色空間とは異なる色空間で画像データを生成するように構成される、請求項３７記載のデバイス。
【請求項３９】
前記生成された画像データは、前記画像データを前記第１の色空間から第２の色空間に対応付けるように構成された処理手段に出力される、請求項３７記載のデバイス。
【請求項４０】
前記画像データの知覚される色および明度が、前記第１の色空間と前記第２の色空間との間で維持される、請求項３８または３９記載のデバイス。
【請求項４１】
コンピュータによって実行されると、請求項１から２０のいずれか一項記載の方法を行うように構成されたコンピュータ・ソフトウェアであって、任意で、該コンピュータ・ソフトウェアがコンピュータ可読媒体に記憶される、コンピュータ・ソフトウェア。
【請求項４２】
添付図面を参照して概ね上述された通りの方法、表示デバイス、または印刷デバイス。
【国際調査報告】
2019508993.tif 000016
2019508993.tif 000017
2019508993.tif 000018